(57)【要約】      （修正有）【課題】個人差に対応して履けて、嵩張らずに常備品として保管することができるスリッパを提供する。【解決手段】スリッパは、鋼板を内蔵し、足形で平板形状の本体１と、本体を足の指の付け根付近に保持する前保持部２と、本体を足の甲側の足首付近に保持する中央保持部３とからなる。前保持部は、２本の帯紐２ａ、２ｂと、これら帯紐を接続する面ファスナー６とからなり、中央保持部は、２本の帯紐３ａ、３ｂと、これら帯紐を接続する面ファスナーとからなる。足を上方から保持する前保持部及び中央保持部が嵩張らず、保管スペースをコンパクトに抑えることができる。さらに、前保持部及び中央保持部の帯の長さを変更・調整することで、個人差に合わせて履くことができて、常備するサイズの種類を少なく抑えることができる。【選択図】図１
0003216658.tif 000002
【実用新案登録請求の範囲】
【請求項１】
鋼板を内蔵し、足形で平板形状の本体と、
使用者の足指の付け根付近で前記本体を保持する前保持部と、
前記足の甲側の足首付近で前記本体を保持する中央保持部とからなり、
前記前保持部及び前記中央保持部は帯形状部材からなることを特徴とするスリッパ。
【請求項２】
前保持部及び中央保持部はそれぞれ、２本の帯紐と、これら帯紐を接続する面ファスナーとからなるものであって、
前記中央保持部は、前記前保持部よりも長手方向の伸縮性がある素材を用いたことを特徴とする請求項１に記載のスリッパ。
【請求項３】
本体は、同形状で同厚の発泡樹脂からなる上下２枚の外装板と、これら外装板の上下の間に接着して配置される鋼板と、これら外装板の外周を覆う縁部材とからなることを特徴とする請求項１または２のいずれかに記載のスリッパ。
【請求項４】
鋼板の周囲に上下の外装板を当接する糸回避部を有し、縁部材は前記糸回避部に縫着したことを特徴とする請求項３に記載のスリッパ。
【請求項５】
縁部材に蛍光性を有する素材を用いたことを特徴とする請求項３または４のいずれかに記載のスリッパ。
【考案の詳細な説明】
【技術分野】
【０００１】
本考案は、スリッパに関し、とりわけ災害などに備える常備品に好適なスリッパである。
【背景技術】
【０００２】
屋内施設等の靴を使用しない場合に災害時に使用することができる防災用のスリッパは従来から提案されている。特許文献１には、履物本体と甲被部とを備える震災用のスリッパにおいて、履物本体は、弾性材からなる底板部材と、該底板部材の上面に敷設される紙製の補強板部材と、該補強板部材の上面に敷設され且つ鉄製、ステンレス製、アルミニウム製又はアルミニウム合金製の保護板部材と、該保護板部材の上面を覆う表被部材と、を有する構造が開示されている。
【先行技術文献】
【特許文献】
【０００３】
【特許文献１】実用新案登録第３１１０６６４号公報
【考案の概要】
【考案が解決しようとする課題】
【０００４】
特許文献１に記載のスリッパは、甲被部により形状に定まっているため、広い保管スペースが必要であった。また、個人で常備する分にはサイズを合わせて購入すればよいが、避難所などの不特定多数の者に提供する場所では個人差に合うように複数のサイズを常備する必要があった。
【０００５】
そこで、個人差に対応して履けて、嵩張らずに常備品として保管することができるスリッパが望まれていた。
【課題を解決するための手段】
【０００６】
本考案のスリッパは、上記課題に鑑み、鋼板を内蔵し、足形で平板形状の本体と、使用者の足指の付け根付近で前記本体を保持する前保持部と、前記足の甲側の足首付近で前記本体を保持する中央保持部とからなり、前記前保持部及び前記中央保持部は帯形状部材からなることを特徴とする。
【０００７】
また、前保持部及び中央保持部はそれぞれ、２本の帯紐と、これら帯紐を接続する面ファスナーとからなるものであって、前記中央保持部は、前記前保持部よりも長手方向の伸縮性がある素材を用いたことが好ましい。
【０００８】
また、本体は、同形状で同厚の発泡樹脂からなる上下２枚の外装板と、これら外装板の上下の間に接着して配置される鋼板と、これら外装板の外周を覆う縁部材とからなることが好ましい。
【０００９】
また、鋼板の周囲に上下の外装板を当接する糸回避部を有し、縁部材は前記糸回避部に縫着したことが好ましい。
【００１０】
また、縁部材に蛍光性を有する素材を用いたことが好ましい。
【考案の効果】
【００１１】
請求項１記載の考案は、足を上方から保持する前保持部及び中央保持部が嵩張らず、保管スペースをコンパクトに抑えることができる。さらに、前保持部及び中央保持部の長さを調整して足を保持することができて、個人差（足のサイズ）に合わせることができ、常備するサイズの種類を少なくすることができる。
【００１２】
請求項２記載の考案は、鋼板により本体が硬質になるため、足裏を本体に密着したままでは歩き難くなるところ、中央保持部の伸縮性により足裏を本体から離接可能にして、歩き易くすることができる。
【００１３】
請求項３記載の考案は、縁部材により鋼板の露出を防止して外装板及び鋼板を強固に固定することができる。
【００１４】
請求項４記載の考案は、糸回避部により本体を容易に縫着することができる。
【００１５】
請求項５記載の考案は、縁部材により暗闇などでのスリッパの視認性（発見率）を向上することができる。
【図面の簡単な説明】
【００１６】
【図１】本考案の実施形態に係るスリッパの斜視図である。
【図２】図１のスリッパの展開平面図である。
【図３】図２のスリッパを履いた状態の説明図である。
【図４】図２のスリッパの拡大Ａ−Ａ線断面図である。
【考案を実施するための形態】
【００１７】
本考案の実施形態について、図面に基づいて詳細に説明する。本実施例に関し、図２の上下、左右を本実施形態の前後、左右として説明する。なお、スリッパは左右対称のものであり、右足用を例示して説明し、左足用は左右の読み替えにより理解できることから、重複する説明は省略する。
【００１８】
本実施形態のスリッパ（右足用）は、図１、２に示すように、本体１と、本体１を足３０（図３に示す）に保持する前保持部２及び中央保持部３とからなり、図４に示すように、本体１に鋼板４を内蔵している。スリッパは鋼板４により釘のような突起物などを踏みつけたときの踏み抜き（突起物の貫通）を防止している。前保持部２及び中央保持部３は左右に長尺な帯形状部材からなり、この帯の長さを調整して、個人差に合わせることができて、常備するサイズなどの種類を少なく抑えることができる。
【００１９】
本体１は、図２、３に示すように、右足を模した足形の板形状として、板面に足３０を載せて使用する。本体１は、左右幅が広くて足先を載置する前部１ａと、幅が狭くて踵を載置する後部１ｂと、前部１ａと後部１ｂとを繋ぎ、土踏まず（足の甲）周辺を載置する中央部１ｃとからなる。
【００２０】
前保持部２は、本体１の前部１ａに設けられて、図３に示すように、足先側を本体１に保持する。具体的には、前保持部２は親指の付け根よりも後方の位置から小指の付け根に亘る足３０の部位を上方から本体１に押し付けて保持する。
【００２１】
前保持部２は、図２に示すように、左右方向に長尺の２本の帯紐２ａ、２ｂと、これら帯紐２ａ、２ｂを脱着自在に接続する面ファスナー６とからなる。帯紐２ａ、２ｂは柔軟性を有し、長手寸法が前部１ａの前保持部２下方の左右幅と同じ若しくは長く形成している。帯紐２ａ、２ｂは、例えば長手寸法約９５ｍｍ（外観露出分）、厚さ寸法約１．５ｍｍ、幅寸法約２５ｍｍの織紐からなり、織紐は合成樹脂からなる。
【００２２】
帯紐２ａ、２ｂはその柔軟性により屈曲変形するが、伸縮性が低く長手方向に伸び難い。前保持部２は２本の帯紐２ａ、２ｂに分割するとともに、帯紐２ａ、２ｂの柔軟性などにより本体１に巻き付けたり扁平にするなどで変形することで、嵩を減らすことができて、保管スペースをコンパクトに抑えることができる。
【００２３】
帯紐２ａ、２ｂは基端部を前部１ａの縁部に固定している。そして、帯紐２ａ、２ｂは長手方向のもう一端（自由端）側の部位の帯面に面ファスナー６を有している。この帯紐２ａ、２ｂの固定は、後述する縁部材５の縫着において、帯紐２ａ、２ｂの一端を縁部材５と上側の外装板７との間に入れ、縫着することにより行う。これにより、縫着線の内側から帯紐２ａ、２ｂが外方に突出する状態となる。
【００２４】
面ファスナー６は左右に長尺とし、長手寸法が帯紐２ａ、２ｂの３分の２程度としている。面ファスナー６は帯紐２ａ、２ｂとその幅寸法長を同じとしている。面ファスナー６により前保持部２の長手寸法（長さ）を容易に変更・調節して、個人差（着用者の親指の付け根から小指の付け根までの幅や高さ）に合わせることができる。
【００２５】
中央保持部３は、本体１の中央部１ｃに設けられ、図３に示すように、足３０の甲側の足首付近の部位を上方から本体１に押し付けて保持する。中央保持部３は、図２に示すように、２本の帯紐３ａ、３ｂと、これら帯紐３ａ、３ｂを脱着自在に接続する面ファスナー６とからなる。
【００２６】
帯紐３ａ、３ｂは前保持部２の帯紐２ａ、２ｂよりも柔軟性があり、帯紐２ａ、２ｂよりも長手方向に伸縮性があるものとしている。帯紐３ａ、３ｂは、例えば長手寸法約１２５ｍｍ（外観露出分）、厚さ寸法約１．５ｍｍ、幅寸法約２５ｍｍのゴムバンドからなる。帯紐３ａ、３ｂは、長手寸法が中央部１ｃの中央保持部３下方の左右幅の２倍と同じ若しくは長く、帯紐２ａ、２ｂの長手寸法の１．３倍と同じ若しくは長いとしている。
【００２７】
中央保持部３は、２本の帯紐３ａ、３ｂに分割するとともに変形して、嵩を減らすことができる。さらに、鋼板４により本体１が硬質になるため、足裏を本体１に密着したままでは歩き難くなるところ、中央保持部３の伸縮性により足３０の踵側を本体１から離接可能にして、歩き易くすることができる。
【００２８】
帯紐３ａ、３ｂは基端部を中央部１ｃの縁部に固定しているがこの固定態様は帯紐２ａ、２ｂと同じとしている。そして、帯紐３ａ、３ｂは長手方向のもう一端（自由端）側の部位の帯面に面ファスナー６を有している。面ファスナー６は前保持部２の面ファスナー６と同じ寸法で同じ形状としている。面ファスナー６により中央保持部３の左右の長さを容易に変更・調節して、個人差（着用者の足３０の甲高さや左右幅）に合わせることができる。
【００２９】
本体１は、図４に示すように、踏み抜きを防止する鋼板４と、この鋼板４の板面を覆う２枚の外装板７、８と、これら外装板７、８及び鋼板４の外周を覆う縁部材５とからなる。縁部材５及び外装板７、８により鋼板４の露出を防止している。さらに、縁部材５により外装板７、８及び鋼板４を補強して１枚の板形状に固定することができる。
【００３０】
鋼板４は足形の板状とし、板面のサイズを本体１の足載せ領域のサイズとしている。鋼板４は、例えば上下の厚さ約０．５ｍｍのステンレス板からなる。外装板７、８は足形の板状とし、板面が鋼板４（足載せ領域）よりも一回り大きい。外装板７、８は発泡樹脂からなり、クッション性を有している。外装板７、８は、例えば、上下の厚さ約５ｍｍのポリエチレン系のスポンジ板からなる。
【００３１】
上下２枚の外装板７、８は、ほぼ同じ形状とするとともに、上下の厚さをほぼ同じ寸法としている。２枚の外装板７、８は対向する板面に各々接着層（図示しない）を有し、接着層は例えば接着シートからなる。この接着層により２枚の外装板７、８は鋼板４を接着・挟持するとともに、鋼板４よりも外周に位置する部位（縁部７ａ、８ａ）を互いに接着して、鋼板４の周面を覆っている。この縁部７ａ、８ａの部分が糸回避部４ａとなる。
【００３２】
縁部材５は、長尺な帯状部材からなり、例えば厚さ約０．５ｍｍの布地からなる。縁部材５は周端部５ｃを重ねたループ形状として、両外装板７、８の周面全体を覆う。この重なる周端部５ｃは中央保持部３よりも本体１の外方に位置している。これにより着用者が特段に足３０のサイズが大きくて一部が縁部材５側にはみ出しても、中央保持部３により縁部材５の周端部５ｃが足３０に接触せず、履き心地を確保することができる。
【００３３】
縁部材５は２枚の外装板７、８の縁部７ａ、８ａを上下から挟持して、本体１を補強している。すなわち、縁部材５は上端部５ａを折り返して上側の外装板７の縁部７ａの上面全周を覆い固定するとともに、下端部５ｂを折り返して下側の外装板８の縁部８ａの下面全周を覆い固定している。本体１は縁部材５よりも内方を足載せ領域としている。さらに、縁部材５に蛍光性のある素材を用いることにより、暗闇などでのスリッパの視認性（発見率）を向上することができる。
【００３４】
また、縁部材５の上端部５ａは前保持部２及び中央保持部３の基端部を覆い縁部７ａに固定している。すなわち、前保持部２及び中央保持部３は縁部材５により本体１に固定され、縁部材５よりも左右内側に突出している。
【００３５】
縁部材５は上端部５ａ及び下端部５ｂを縫着により固定している。鋼板４はその縁部に糸回避部４ａを有し、縫着する糸９やこの糸９を通す針が鋼板４に接触することを防止している。本例の鋼板４は糸回避部４ａにより外装板７、８よりも一回り小さい形状とし、縁部材５の上端部５ａ及び下端部５ｂは鋼板４よりも外方に位置している。なお、鋼板４の側方に貫通孔や切欠きなどを糸回避部４ａとして設けてもよい。
【符号の説明】
【００３６】
１…本体、２…前保持部、２ａ、２ｂ…帯紐、３…中央保持部、３ａ、３ｂ…帯紐、４…鋼板、５…縁部材、５ｃ…周端部、６…面ファスナー、７、８…外装板、７ａ、８ａ…縁部、９…糸、４ａ…糸回避部。
【図１】
0003216658.tif 000003
【図２】
0003216658.tif 000004
【図３】
0003216658.tif 000005
【図４】
0003216658.tif 000006